(57)【要約】【課題】ＤＶＤ＋ＶＲ記録方式において、ＶＣＰＳ（Video Content Protection System）対応機器用と非対応機器用にタイトル管理情報が２種類あるようなＶＣＰＳ記録されたメディアに対し、ＶＣＰＳ非対応機器で著作権保護記録されたタイトル（ＶＣＰＳタイトル）の手前にある削除済みタイトルから上書き記録した場合、ユーザーはＶＣＰＳタイトルの存在を知らずにＶＣＰＳタイトルに上書き記録してしまう。【解決手段】ＶＣＰＳタイトル２０４を記録する際、ＶＣＰＳタイトルの手前に記録プロテクト属性を持つダミータイトル２０３を配置し、ＶＣＰＳ非対応機器用のタイトル管理情報にはＶＣＰＳタイトルに関する情報は含まないが、ダミータイトルに関する情報を含むようにする。【選択図】図２
2009064517.tif 000002
【特許請求の範囲】
【請求項１】
番組のＡＶデータと管理情報データとを情報記録フォーマットに従って情報記録媒体にタイトルとして記録する記録再生装置であって、
時間の経過に伴って記録領域に連続的にＡＶデータを記録するＡＶデータ記録手段と、
ＡＶデータを記録する手前の領域にダミータイトルを記録するダミータイトル記録手段とを備えた記録再生装置。
【請求項２】
ダミータイトルにプロテクト属性を設定するダミータイトルプロテクト設定手段を備えた請求項１記載の記録再生装置。
【請求項３】
ダミータイトルを、著作権保護タイトルとして記録されているが、再生できないことを示すＡＶデータとして記録する手段を備えた請求項２記載の記録再生装置。
【請求項４】
ダミータイトルの削除や上書き記録をすると著作権保護タイトルが上書きされる可能性があるＡＶデータとして記録する手段を備えた請求項２記載の記録再生装置。
【請求項５】
前記ＡＶデータ記録手段により著作権コンテンツを記録する場合、著作権保護タイトル再生対応機器用の管理情報である第１タイトル管理情報には著作権保護タイトルとダミータイトルに関する情報を反映し、著作権保護タイトル再生非対応機器用の管理情報である第２タイトル管理情報にはダミータイトルに関する情報だけを反映する請求項１記載の記録再生装置。
【請求項６】
前記ＡＶデータ記録手段は、著作権コンテンツであるＡＶデータを著作権保護タイトルとして記録する場合、第１タイトル管理情報には著作権保護タイトルに関する情報だけを反映し、第２タイトル管理情報にはダミータイトルに関する情報だけを反映する請求項１記載の記録再生装置。
【請求項７】
再生用メニュー画面上での著作権保護タイトルのリンク先は、新たに用意したＡＶデータでなく、ダミータイトルを利用して再生用メニュー画面を作成するメニュー画面作成手段を備えた請求項５又は６に記載の記録再生装置。
【請求項８】
他機器でダミータイトルが削除された場合にダミータイトルと一緒に記録された著作権保護タイトルを削除するタイトル削除手段を備えた請求項５又は６に記載の記録再生装置。
【請求項９】
他機器でダミータイトルが削除された場合にダミータイトルを復旧するタイトル復旧手段を備えた請求項５又は６に記載の記録再生装置。
【請求項１０】
前記タイトル削除手段は、著作権保護タイトルが上書きされている可能性がある場合のみ、著作権保護タイトルを削除する請求項８記載の記録再生装置。
【請求項１１】
前記情報記録フォーマットがＤＶＤ＋ＶＲフォーマットである請求項１〜１０のいずれか１項に記載の記録再生装置。
【請求項１２】
時間の経過に伴って記録領域に連続的にＡＶデータを記録するＡＶデータ記録手段と、
ＡＶデータを記録する手前の領域にダミータイトルを記録するダミータイトル記録手段とを備えた集積回路。
【発明の詳細な説明】
【技術分野】
【０００１】
本発明は、光ディスクの記録再生に関し、特にユーザーの意図しない上書き記録を防ぐ技術に関するものである。
【背景技術】
【０００２】
光ディスクの記録方式の１つとして、ＤＶＤ（Digital Versatile Disc）＋ＶＲ（Video Recording）記録方式がある（特許文献１参照）。
【０００３】
ＤＶＤ＋ＶＲ記録方式は、ＶＴＲ（Video Tape Recorder）のように連続的な記録領域に記録を行う記録方式であり、記録プロテクト属性のタイトル（Title）が存在する領域まで上書き記録が可能である。
【０００４】
また、ＤＶＤ＋ＶＲ記録方式では、タイトルを削除すると削除（Deleted）タイトルとして扱われる。削除タイトルとは、ユーザーが削除したタイトルであるがその領域は空き領域でなく、ＡＶデータは存在するが再生できない管理状態のタイトルを示す。そして、ＤＶＤ＋ＶＲ記録方式では削除タイトルに上書き記録ができる。
【０００５】
さて、策定当初のＤＶＤ＋ＶＲ記録方式では著作権保護技術に非対応であったため、著作権保護されたコンテンツを扱えなかった。そこで、著作権保護方式であるＶＣＰＳ（Video Content Protection System）がＤＶＤ＋ＶＲ規格に追加された。
【０００６】
更に、ＶＣＰＳバージョン１．３４以降、ＶＣＰＳ対応機器と非対応機器とを考慮した管理情報が追加された。その管理情報は、著作権保護されたタイトル（以下ＶＣＰＳタイトルと呼ぶ）が記録されたメディアでは、ＶＣＰＳ対応機器用のタイトル管理情報とＶＣＰＳ非対応機器用のタイトル管理情報とを持つようになっている。
【０００７】
ＶＣＰＳ対応機器用のタイトル管理情報では、従来のＤＶＤ＋ＶＲ記録方式で記録された著作権保護されていないタイトル（以下通常タイトルと呼ぶ）のタイトル情報とＶＣＰＳタイトルのタイトル情報とを管理し、ＶＣＰＳ非対応機器用のタイトル管理情報では、通常タイトルのみのタイトル情報を管理する。これによりＶＣＰＳタイトルは、ＶＣＰＳ対応機器のみで再生できるようになり、ＶＣＰＳ非対応機器では再生できない。なお、通常タイトルはどちらの機器でも再生できる。
【特許文献１】特開２００６−３１８５９５号公報
【発明の開示】
【発明が解決しようとする課題】
【０００８】
ＤＶＤ＋ＶＲ記録方式では、削除タイトル、ＶＣＰＳタイトルの順番で連続してメディアに記録されている場合に、削除タイトルの上書き記録を行うとＶＣＰＳタイトルが上書き記録される場合がある。
【０００９】
ＶＣＰＳ対応機器ではＶＣＰＳタイトルが存在することをタイトル管理情報で管理しているため、ユーザーはＶＣＰＳタイトルを認知して上書き記録するが、ＶＣＰＳ非対応機器ではタイトル管理情報でＶＣＰＳタイトルが管理されていないため、ユーザーはＶＣＰＳタイトルの存在を知らずに上書き記録してしまうという課題がある。
【００１０】
本発明は、このような事情を鑑みて創作したものであり、ＶＣＰＳ非対応機器でユーザーが知らないうちにＶＣＰＳタイトルを上書き記録してしまうことを防ぐことを目的としている。
【課題を解決するための手段】
【００１１】
前記の課題を解決するため、請求項１の発明の記録再生装置は、番組のＡＶデータと管理情報データとを情報記録フォーマットに従って情報記録媒体にタイトルとして記録する記録再生装置であって、時間の経過に伴って記録領域に連続的にＡＶデータを記録するＡＶデータ記録手段と、ＡＶデータを記録する手前の領域にダミー（Dummy）タイトルを記録するダミータイトル記録手段とを備えた記録再生装置である。これにより、連続する領域に存在するタイトルの上書きが予防できる。
【００１２】
請求項２の発明の記録再生装置は、ダミータイトルにプロテクト属性を設定するダミータイトルプロテクト設定手段を備えた請求項１記載の記録再生装置である。これにより、連続する領域に存在するタイトルの上書きを防止することができる。
【００１３】
請求項３の発明の記録再生装置は、ダミータイトルを、著作権保護タイトルとして記録されているが、再生できないことを示すＡＶデータとして記録する手段を備えた請求項２記載の記録再生装置である。これにより、ユーザーが認知できないタイトルの存在を知らせることができる。
【００１４】
請求項４の発明の記録再生装置は、ダミータイトルの削除や上書き記録をすると著作権保護タイトルが上書きされる可能性があるＡＶデータとして記録する手段を備えた請求項２記載の記録再生装置である。これにより、ユーザーが認知しないタイトルが削除される可能性があることの注意を促すことができる。
【００１５】
請求項５の発明の記録再生装置は、前記ＡＶデータ記録手段により著作権コンテンツを記録する場合、著作権保護タイトル再生対応機器用の管理情報である第１タイトル管理情報にはＶＣＰＳタイトルとダミータイトルに関する情報を反映し、著作権保護タイトル再生非対応機器用の管理情報である第２タイトル管理情報にはダミータイトルに関する情報だけを反映する請求項１記載の記録再生装置である。これにより、ユーザーが認知できないタイトルの存在を知らせることができる。
【００１６】
請求項６の発明の記録再生装置は、前記ＡＶデータ記録手段は、著作権コンテンツであるＡＶデータを著作権保護タイトルとして記録する場合、第１タイトル管理情報には著作権保護タイトルに関する情報だけを反映し、第２タイトル管理情報にはダミータイトルに関する情報だけを反映する請求項１記載の記録再生装置である。これによりユーザーが認知できないタイトルの存在を知らせることができる。
【００１７】
請求項７の発明の記録再生装置は、再生用メニュー画面上での著作権保護タイトルのリンク先は、新たに用意したＡＶデータでなく、ダミータイトルを利用して再生用メニュー画面を作成するメニュー画面作成手段を備えた請求項５又は６に記載の記録再生装置である。これにより、著作権保護タイトルのリンク先を新たに用意する手順が省略できる。
【００１８】
請求項８の発明の記録再生装置は、他機器でダミータイトルが削除された場合にダミータイトルと一緒に記録された著作権保護タイトルを削除するタイトル削除手段を備えた請求項５又は６に記載の記録再生装置である。これにより、ディスクにダミータイトルと著作権保護タイトルのどちらかだけがメディアに存在しないため、ＶＣＰＳ非対応機器のタイトル管理情報とＶＣＰＳ対応機器のタイトル管理情報とにおいて一貫性を保つことができる。
【００１９】
請求項９の発明の記録再生装置は、他機器でダミータイトルが削除された場合にダミータイトルを復旧するタイトル復旧手段を備えた請求項５又は６に記載の記録再生装置である。これにより、ディスクにダミータイトルと著作権保護タイトルのどちらかだけがメディアに存在しないため、ＶＣＰＳ非対応機器のタイトル管理情報とＶＣＰＳ対応機器のタイトル管理情報とにおいて一貫性を保つことができる。
【００２０】
請求項１０の発明の記録再生装置は、前記タイトル削除手段は、著作権保護タイトルが上書きされている可能性がある場合のみ、著作権保護タイトルを削除する請求項８記載の記録再生装置である。これにより、ディスクにダミータイトルと著作権保護タイトルのどちらかだけがメディアに存在しないため、ＶＣＰＳ非対応機器のタイトル管理情報とＶＣＰＳ対応機器のタイトル管理情報とにおいて一貫性を保つことができる。
【００２１】
請求項１１の発明のデータ記録再生装置は、情報記録フォーマットがＤＶＤ＋ＶＲフォーマットである請求項１〜１０のいずれか１項に記載の記録再生装置である。
【００２２】
請求項１２の発明の集積回路は、時間の経過に伴って記録領域に連続的にＡＶデータを記録するＡＶデータ記録手段と、ＡＶデータを記録する手前の領域にダミータイトルを記録するダミータイトル記録手段とを備えた集積回路である。
【発明の効果】
【００２３】
本発明によれば、記録プロテクト属性をもったダミータイトルをＶＣＰＳタイトルの手前に配置することで、ＶＣＰＳ非対応機器でユーザーが認知しないＶＣＰＳタイトルが上書き記録されることを防止できる。
【００２４】
また、ダミータイトルのＡＶデータは、ダミータイトルがＶＣＰＳタイトルの代わりに存在していること、もしくはダミータイトル削除やプロテクト属性解除によりＶＣＰＳタイトルの削除可能性があること、例えば文字情報をディスプレイ表示することや音声情報をスピーカーで知らせるなどによりユーザーに認知させることで、ＶＣＰＳ非対応機器においてユーザーの操作やタイトル編集に注意を促し、ユーザーの意図しないタイトルの削除を予防することができる。
【発明を実施するための最良の形態】
【００２５】
以下、本発明の実施の形態として、著作権保護されたコンテンツを光ディスクに記録する際の、ＶＣＰＳに対応したＤＶＤ＋ＶＲ記録方式について、代表図面を参照しながら説明する。なお、ＤＶＤ＋ＶＲ記録方式のＶＣＰＳだけでなくタイトル管理情報を複数持つ記録方式でもよい。また、記録する媒体は光ディスクに限らなくてもよい。
【００２６】
《実施の形態１》
図１は、本発明の実施の形態１における記録再生装置の処理の態様を示すブロック図である。図１に示すように記録再生装置１０１は、ＵＩ（User Interface）制御部１０２と、ＣＰＵ１０３及びメモリ１０４からなる制御部１０５と、入力部１０７と、エンコーダ部１０８と、ドライブ制御部１１０と、ストリーム制御部１１１と、デコーダ部１１２と、出力部１１３とから構成される。
【００２７】
映像音声信号源１０６はチューナーやＡＶ再生機器とし、メディア１０９は書き換え可能かつＶＣＰＳに対応したＤＶＤ＋ＲＷとし、スピーカー１１４とディスプレイ１１５はプラズマテレビや液晶テレビなどの映像表示装置とする。
【００２８】
図１に示すように、記録再生装置１０１の制御部１０５は、ＣＰＵ（Central Processing Unit）１０３とメモリ１０４から構成される。メモリ１０４は記録再生装置１０１の制御のために必要なプログラムやデータが保存されたＲＯＭ（Read Only Memory）とＣＰＵ１０３がワーク領域として利用するＲＡＭ（Random Access Memory）から構成される。
【００２９】
メディア１０９に対して読み出し・書込み動作を実現するドライブ制御部１１０は、ピックアップ制御や機械制御部などから構成される。制御部１０５はＤＶＤ＋ＶＲ記録方式に従った記録・再生制御を、エンコーダ部１０８とストリーム制御部１１１とドライブ制御部１１０を制御し、メディア１０９に対して実行する。
【００３０】
ＵＩ制御部１０２はユーザーによる操作を可能にする。キーボードやリモートコントロールによる手段がある。制御部１０５は前述したユーザーの操作に従い、記録再生装置１０１の動作を制御する。
【００３１】
映像音声信号源１０６は、アンテナから受信した放送信号を供給し、あるいはＡＶ再生機器の映像音声出力信号を供給する。
【００３２】
入力部１０７は、映像音声信号源１０６からの入力信号をＡ／Ｄコンバータにより、デジタルデータに変換し、得られたデジタルデータをエンコーダ部１０８に出力する。
【００３３】
エンコーダ部１０８は制御部１０５の命令に従い、前述したデジタルデータのエンコード処理を行う。ここで、エンコード処理とは、デジタルデータを符号化し、ＭＰＥＧ方式に準拠したプログラム・ストリーム形式のＡＶデータを生成する処理である。
【００３４】
記録時には、ストリーム制御部１１１はエンコーダ部１０８のＡＶデータをドライブ制御部１１０からメディア１０９へ書き込み、そしてエンコードされたＡＶデータの管理情報を制御部１０５の指示によりメディア１０９へ書き込むことで記録が完了する。
【００３５】
また、再生時にはメディア１０９より管理情報とＡＶデータを読み取り、デコーダ部１１２で管理情報に従ったＡＶデータをデジタルデータへ復号し、出力部１１３はそのデジタルデータをＤ／Ａ変換しアナログデータをスピーカー１１４とディスプレイ１１５へ出力する。
【００３６】
また、編集時にはユーザーの編集操作をＵＩ制御部１０２で受け、制御部１０５においてＤＶＤ＋ＶＲ記録方式による編集制御をストリーム制御部１１１とドライブ制御部１１０に対して行い、メディア１０９のＡＶデータの管理情報へ編集内容を反映する。
【００３７】
図１の例における１１６は、ＣＰＵ１０３と、エンコーダ部１０８と、ドライブ制御部１１０と、ストリーム制御部１１１と、デコーダ部１１２とを搭載した１つのシステムＬＳＩである。
【００３８】
上記のシステム構成において、特に制御部１０５に従いメディア１０９に対してＤＶＤ＋ＶＲ記録方式でのＶＣＰＳタイトルを記録する場合について説明する。
【００３９】
ＤＶＤ＋ＶＲ記録方式では、メディア１０９を光ドライブから取り出す際にはファイナライズ（Finalize）処理を行う。このファイナライズ処理に際して制御部１０５がメモリ１０４で記憶した記録・編集した情報に従って、ドライブ制御部１１０、ストリーム制御部１１１、デコーダ部１１２を制御し、ディスクのタイトル一覧を示すメニュー画面やタイトルの情報をメディア１０９に記録する。
【００４０】
ＤＶＤ＋ＶＲ記録方式に従えば、メディア１０９には図２に示すように管理情報２０１が記録され、ＡＶデータのタイトル（２０２、２０３、２０４、２０５）は連続する領域に記録される。２０６は空き領域である。
【００４１】
ＤＶＤ＋ＶＲ記録方式での管理情報２０１は、ＶＲＭＩ（Video Recording Manager Information）２０７、ＶＭＧＩ（Video Manager Information）２０８、ＶＴＳＩ（Video Title Set Information）２０９などにより構成される。
【００４２】
図３に示すようにステップＳ１０１で、映像音声信号源１０６の出力信号が著作権保護されたコンテンツであることを入力部１０７が検知し、制御部１０５がそれに従いステップＳ１０２においてＶＣＰＳタイトルを記録する手前の領域にダミータイトルを記録する。ダミータイトルを作成するためのＡＶデータは固定データとしてメモリ１０４に保存している。もしくは、ＨＤＤなどの外部記憶媒体に保存しておいてもよい。続けてステップＳ１０３において、連続した領域にＶＣＰＳタイトルを記録する。なお、ステップＳ１０１で著作権信号が検出されない場合は、ステップＳ１０４において通常タイトルのみを記録する。
【００４３】
図４に示すように、制御部１０５がＵＩ制御部１０２でユーザーが記録停止操作を検知した場合や、メディア１０９が記録できない状態になったことを制御部１０５が検出した場合などでは、ステップＳ２０１において、メディア１０９へのＡＶデータの記録を停止する。
【００４４】
ステップＳ２０２でダミータイトルを記録していることを検知した場合は、ステップＳ２０３において、ＶＭＧＩ２０８のＴＴ＿ＳＲＰＴ（Title Search Pointer Table）２１１にダミータイトルを登録する。ダミータイトル属性はＶＲＭＩ２０７でプロテクト属性を持たせた状態として記録する。
【００４５】
続けてステップＳ２０４において、ＶＣＰＳ記録方式で拡張されたＶＭＧＩ＿ＭＡＴ（Video Manager Information Manager Table）２１０のＲｅｓｅｒｖｅｄ２１２のＶＣＰＳ対応機器用のＴＴ＿ＳＲＰＴ＿ＳＡ２１３にのみＶＣＰＳタイトルを登録する。
【００４６】
また、ステップＳ２０２でダミータイトルを記録していないと検知した場合には、ＴＴ＿ＳＲＰＴ２１１とＶＭＧＩ＿ＭＡＴ２１０の「Ｒｅｓｅｒｖｅｄ」２１２のＶＣＰＳ対応機器用ＴＴ＿ＳＲＰＴ＿ＳＡ２１３と共に通常タイトルを登録する。
【００４７】
本実施の形態のＶＣＰＳタイトル記録方式をとれば、ＶＣＰＳ非対応機器でＶＣＰＳタイトルの手前の削除タイトルから上書き記録した場合にも、ダミータイトルがプロテクト属性であるために記録が停止し、ユーザーがＶＣＰＳタイトルを削除してしまうことを防止できる。
【００４８】
《実施の形態２》
図５の３０１は、本発明の実施の形態２におけるダミータイトルの内容を示すＡＶデータを表している。
【００４９】
ダミータイトルは、ＶＣＰＳ非対応機器用で再生するタイトルでＶＣＰＳタイトルの保護を目的として配置されている。そのためダミータイトルのＡＶデータは、ダミータイトルの隣接した領域にはＶＣＰＳ対応機器でのみ再生できるＶＣＰＳタイトルが配置されていること、そしてダミータイトルを削除したり、その上に上書き記録することでそのＶＣＰＳタイトルが削除されたりする可能性があることを示すものである。
【００５０】
本実施の形態によれば、ダミータイトルがＶＣＰＳタイトルの代わりに存在していること、またダミータイトル削除やプロテクト属性解除によりＶＣＰＳタイトルの削除可能性があることを知らせることができ、ＶＣＰＳ非対応機器においてユーザーの操作やタイトル編集に注意を促すことができる。
【００５１】
《実施の形態３》
図６は、本発明の実施の形態３におけるダミータイトルとＶＣＰＳタイトルのどちらかだけがメディアに存在しないように一貫性を保ち存在するためのフローチャートである。
【００５２】
ステップＳ３０１においてＶＣＰＳタイトルが存在するメディアであり、ステップＳ３０２において自らの記録再生装置で作成されたことがメディアに記録されており、ステップＳ３０３においてＶＣＰＳタイトル記録時に作成されたダミータイトルがないと検知した場合、ステップＳ３０４にてダミータイトルと関係するＶＣＰＳタイトルをＶＣＰＳ対応機器のタイトル管理情報から削除する。
【００５３】
また、このＶＣＰＳタイトル削除時にポップアップ（Pop Up）メッセージ等を利用して、ユーザーにタイトル管理情報／メディアの一貫性維持のため削除許可を確認してもよい。
【００５４】
本実施の形態によれば、ダミータイトルとＶＣＰＳタイトルのどちらかだけがメディアに存在することがなくなり、ＶＣＰＳ非対応機器のタイトル管理情報とＶＣＰＳ対応機器のタイトル管理情報とにおいて一貫性を保つことができる。
【００５５】
《実施の形態４》
図７は、本発明の実施の形態４におけるダミータイトルとＶＣＰＳタイトルのどちらかだけがメディアに存在しないように一貫性を保ち存在するためのフローチャートである。
【００５６】
ステップＳ４０１においてＶＣＰＳタイトルが存在するメディアであり、ステップＳ４０２において自らの記録再生装置で作成されたことがメディアに記録されており、ステップＳ４０３においてＶＣＰＳタイトル記録時に作成されたダミータイトルがないと検知した場合、ステップＳ４０４にてダミータイトルをＶＣＰＳ非対応機器のタイトル管理情報に追加する。
【００５７】
また、このダミータイトル追加時にポップアップメッセージ等を利用して、ユーザーにタイトル管理情報／メディアの一貫性維持のためダミータイトルの追加許可を確認してもよい。
【００５８】
本実施の形態によれば、ダミータイトルとＶＣＰＳタイトルのどちらかだけがメディアに存在することがなくなり、ＶＣＰＳ非対応機器のタイトル管理情報とＶＣＰＳ対応機器のタイトル管理情報とにおいて一貫性を保つことができる。
【００５９】
《実施の形態５》
図８は、本発明の実施の形態５におけるダミータイトルとＶＣＰＳタイトルのどちらかだけがメディアに存在しないように一貫性を保ち存在するためのフローチャートである。
【００６０】
ステップＳ５０１においてＶＣＰＳタイトルが存在するメディアであり、ステップＳ５０２において自らの記録再生装置で作成されたことがメディアに記録されており、ステップＳ５０３においてＶＣＰＳタイトル記録時に作成されたダミータイトルがなく、ＶＣＰＳタイトルがステップＳ５０４においてタイトル管理情報におけるサイズや更新日時などと不一致となる結果、ＶＣＰＳ非対応機器などにより上書き記録されたことを検知する。その結果、ＶＣＰＳタイトルが上書き記録されている場合には、ステップＳ５０６においてダミータイトルに関係するＶＣＰＳタイトルをＶＣＰＳ対応機器用のタイトル管理情報から削除し、続けてステップＳ５０７においてダミータイトルをＶＣＰＳ非対応機器用のタイトル管理情報からも削除する。またＶＣＰＳタイトルが上書き記録されていない場合には、ステップＳ５０５においてダミータイトルをＶＣＰＳ非対応機器用のタイトル管理情報に追加する。
【００６１】
また、ポップアップメッセージ等を利用して、ユーザーにタイトル管理情報／メディアの一貫性維持のためＶＣＰＳタイトルの削除許可及びダミータイトルの追加許可を確認してもよい。
【００６２】
本実施の形態によれば、ダミータイトルとＶＣＰＳタイトルのどちらかだけがメディアに存在することがなくなり、ＶＣＰＳ非対応機器のタイトル管理情報とＶＣＰＳ対応機器のタイトル管理情報とにおいて一貫性を保つことができる。
【００６３】
《実施の形態６》
図９は、本発明の実施の形態６における、ディスクに含まれたタイトル一覧を示す再生用メニューを作成するために、ダミータイトルを利用することを示した図である。
【００６４】
ＤＶＤ＋ＶＲ記録方式のＶＣＰＳバージョン１．３４以降にて、ＶＣＰＳ対応機器再生用メニューは、ＶＣＰＳ対応機器用メニューとＶＣＰＳ非対応機器用メニューとを作成し、ＶＣＰＳ対応機器／非対応機器間の再生互換を持つように構成されている。
【００６５】
また、ＶＣＰＳバージョン１．３４においてＶＣＰＳ非対応機器用メニューでは、ＶＣＰＳタイトルが存在する部分にはＶＣＰＳタイトルのサムネイルを作成し、そのサムネイルのリンク先は新しいメニューであり、その新しいメニューでは再生しようとしたサムネイルはＶＣＰＳタイトルであり、ＶＣＰＳ非対応機器では再生できないといった内容を表示することが推奨されている。
【００６６】
これに対し、本実施の形態によれば、メディア上の管理情報９０１のうちＶＣＰＳ対応機器においてＶＣＰＳ対応機器用タイトル管理情報９０２に登録されているタイトルからＶＣＰＳ対応機器用メニュー９０５を作成し、ＶＣＰＳ非対応機器用タイトル管理情報９０３に登録されているタイトルからＶＣＰＳ非対応機器用メニュー９０４を作成する。また、ＶＣＰＳ非対応機器ではＶＣＰＳ非対応機器用タイトル管理情報９０３に登録されているタイトルでＶＣＰＳ非対応機器用メニュー９０４を作成する。
【００６７】
これにより、ＶＣＰＳ非対応機器用メニュー９０４を作成する場合に、ダミータイトルを通常タイトルと同様にサムネイルにすることで、ＶＣＰＳバージョン１．３４で推奨される新しいメニューを作成しなくても、推奨動作と同様の効果（ＶＣＰＳ非対応機器ではＶＣＰＳタイトルを再生できないことを示す）を持ったメニューが作成でき、かつメディアの空き領域を確保することができる。また、ＶＣＰＳ非対応機器用メニュー９０４はＶＣＰＳ非対応機器用タイトル管理情報９０３のみで作成でき、タイトル管理情報だけでメニューを作成できるので、メニュー作成手順も簡便になる。
【産業上の利用可能性】
【００６８】
本発明の記録再生装置は、ＶＣＰＳに対応したＤＶＤ＋ＶＲ記録方式で著作権コンテンツを記録した場合、ＶＣＰＳ非対応機器でのユーザーの意図しない上書き記録を防止できるため、ＤＶＤ記録再生装置などに利用できる。また、ブルーレイディスクやＨＤＤＶＤに関する（タイトル管理情報を複数持つ）記録方式にも利用することが可能である。
【図面の簡単な説明】
【００６９】
【図１】本発明の実施の形態１における記録再生装置の処理の態様を示すブロック図である。
【図２】本発明の実施の形態１における管理情報を説明する図である。
【図３】本発明の実施の形態１における記録再生装置の処理手順を示すフローチャートである。
【図４】本発明の実施の形態１における記録再生装置の処理手順を示すフローチャートである。
【図５】本発明の実施の形態２におけるメディアに関する内容を説明するための画面表示の図である。
【図６】本発明の実施の形態３におけるディスクを管理する処理手順を示すフローチャートである。
【図７】本発明の実施の形態４におけるディスクを管理する処理手順を示すフローチャートである。
【図８】本発明の実施の形態５におけるディスクを管理する処理手順を示すフローチャートである。
【図９】本発明の実施の形態６におけるディスクの再生用メニューを作成する方法を示した図である。
【符号の説明】
【００７０】
１０１  記録再生装置
１０２  ＵＩ制御部
１０３  ＣＰＵ
１０４  メモリ
１０５  制御部
１０６  映像音声信号源
１０７  入力部
１０８  エンコーダ部
１０９  メディア
１１０  ドライブ制御部
１１１  ストリーム制御部
１１２  デコーダ部
１１３  出力部
１１４  スピーカー
１１５  ディスプレイ
１１６  システムＬＳＩ
【図１】
2009064517.tif 000003
【図２】
2009064517.tif 000004
【図３】
2009064517.tif 000005
【図４】
2009064517.tif 000006
【図５】
2009064517.tif 000007
【図６】
2009064517.tif 000008
【図７】
2009064517.tif 000009
【図８】
2009064517.tif 000010
【図９】
2009064517.tif 000011